(57)【要約】伸長性テープフラッグであって、裏材層が手で伸長できる伸長部を有し、かつ少なくとも一部において弾性及び塑性変形特性を有し、接着剤層が再適用可能であって、裏材層の片側の少なくとも一部に配置され、裏材層の伸長部を伸長させた状態で対象に貼り付けられる。【選択図】図３
2015513484.tif 000002
【特許請求の範囲】
【請求項１】
裏材層が手で伸長できる伸長部を有し、かつ少なくとも一部において弾性及び塑性変形特性を有し、
接着剤層が再適用可能であって、前記裏材層の片側の少なくとも一部に配置され、
前記裏材層の伸長部を伸長させた状態で対象に貼り付けられる、伸長性テープフラッグ。
【請求項２】
前記伸長部が一方向に少なくとも１００％伸長する、請求項１に記載の伸長性テープフラッグ。
【請求項３】
１００％伸長時の前記伸長部の応力が約１５ＭＰａ未満である、請求項１又は２に記載の伸長性テープフラッグ。
【請求項４】
前記伸長部が、オレフィン、又はオレフィン以外のエチレン不飽和モノマーを含む単一ポリマー又はコポリマーであり、非伸長性である材料で構成される、請求項１〜３のいずれか一項に記載の伸長性テープフラッグ。
【請求項５】
前記伸長性テープフラッグが、前記裏材層の一部に前記接着剤層が形成されない領域を有する、請求項１〜４のいずれか一項に記載の伸長性テープフラッグ。
【請求項６】
前記伸長部が伸長され、かつ対象の上に適用された後で、覆われる対象のいずれの領域も隠されない、請求項１〜５のいずれか一項に記載の伸長性テープフラッグ。
【発明の詳細な説明】
【発明の詳細な説明】
【０００１】
［技術分野］
本発明は、インデックスマーカーとして使用可能な伸長性テープフラッグに関する。
【０００２】
［背景技術］
フィルム状のポリマー基材または裏材であって、テープフラッグが、接着剤を当該領域に再塗布することなく、再適用できる接着剤でコーティングされており、インデックスマーカー又はしおりと呼ばれることもあり、これらは、書籍、書類等のページ上に適用することによりこれらのマーク付けに使用され、インデックスマーカーとして使用されてよい。例示の実施例は、特開平４−５０４００４号及び米国特許第５，２８３，０９１号に開示されている。
【０００３】
裏材が着色されているため、接着剤が塗布される領域が透明又は半透明であり、これにより目立ち、マーカー又はインデックスマーカーとして使用できる。また、材料が透明であるために、覆われた単語又は文字が見えるようにテープフラッグが設計される場合が多数ある。
【０００４】
このような適用法のテープフラッグ自体は、ページマーカー又はインデックスマーカーとして大変便利であるものの、例えば、多数の書類又は本から特定のページをマーク付けするために一般にかつ効果的に使用されるが、ページの正確な位置を同様にマーク付けすることはできない。したがって、ユーザーは、通常、第２のフラッグ又は他の手段を使用して、第１のテープフラッグでマーク付けされたページ上の所望の位置を示す。
【０００５】
［発明の概要］
シート又は記事面上の位置をユーザーに容易に示すテープフラッグに対するニーズが存在する。
【０００６】
本発明は、（１）例えば、ファイルに含まれる多数の文書、本など一連のページから選択されたページをマーク付けすること、及び（２）当該ページの選択された特定箇所をマーク付けすることを同時に実行できるテープフラッグを提供する。
【０００７】
本発明によると、典型的な実施形態において、本発明の伸長性テープフラッグは、少なくとも一部において手で伸長できる伸長部を有する基材、つまり裏材層と、裏材層の片側に少なくとも部分的に配置された再適用可能な接着剤層と、を含む。使用する際、このシートは、裏材層の伸長部を伸長させた状態で、所望の対象に適用し、貼り付けることができる。
【０００８】
本発明の伸長性テープフラッグは、裏材層の伸長部を伸長させた状態で本、ファイルなどのページ、写真など記事に貼り付けることができるため、（１）インデックスマーカーとして特定のページ、及び（２）インデックス付けした記事の特定箇所の両方を示すことができる。
【図面の簡単な説明】
【０００９】
本発明について、図面を参照して更に説明することにする。
【図１Ａ】本発明の第１の例示の実施形態による伸長性テープフラッグの斜視図である。
【図１Ｂ】本発明の第２の例示の実施形態による伸長性テープフラッグの斜視図である。
【図２Ａ】本発明の伸長性テープフラッグの更に他の例示の実施形態の斜視図である。
【図２Ｂ】本発明の伸長性テープフラッグの更に他の例示の実施形態の斜視図である。
【図２Ｃ】本発明の伸長性テープフラッグの更に他の例示の実施形態の斜視図である。
【図３】本のページに適用された、本発明の例示の伸長性テープフラッグを示す概略図である。
【図４Ａ】本のページに伸長性テープフラッグを適用し、本発明によってページの選択された位置を示す例示の方法を示す一連の概略図である。
【図４Ｂ】本のページに伸長性テープフラッグを適用し、本発明によってページの選択された位置を示す例示の方法を示す一連の概略図である。
【図４Ｃ】本のページに伸長性テープフラッグを適用し、本発明によってページの選択された位置を示す例示の方法を示す一連の概略図である。
【図５Ａ】本発明の伸長性テープフラッグの他の例示の実施形態の平面図である。
【図５Ｂ】本発明の伸長性テープフラッグの他の例示の実施形態の平面図である。
【図５Ｃ】本発明の伸長性テープフラッグの他の例示の実施形態の平面図である。
【図６Ａ】本発明の伸長性テープフラッグの更に他の例示の実施形態の平面図である。
【図６Ｂ】本発明の伸長性テープフラッグの更に他の例示の実施形態の平面図である。
【図６Ｃ】本発明の伸長性テープフラッグの更に他の例示の実施形態の平面図である。
【図７Ａ】本発明の伸長性テープフラッグの例示の実施形態の斜視図である。
【図７Ｂ】本発明の伸長性テープフラッグの例示の実施形態の斜視図である。
【図７Ｃ】本発明の伸長性テープフラッグの例示の実施形態の斜視図である。
【００１０】
これらの図は一定の縮尺ではなく、また、単に説明のためのものであって限定するものではない。同様の番号は、同様の部材を指すために使用される。
【００１１】
本発明の実施形態による伸長性テープフラッグは、手で伸長できる伸長部を有する基材又は裏材層と、該裏材層の一方の面の少なくとも一部に塗布された接着剤と、を有する。接着剤は、裏材層の片側の少なくとも一部又は全体を覆う連続層の形態であってよいか、片側にある一連の部分であってよい。
【００１２】
裏材層は、全体として又はその１つ以上の部分において、手で伸長でき、弾性降伏、又は伸長され、記事上の少なくとも２つの位置に付着すると、記事から不必要に剥離されることなく所望の位置にとどまるのに十分な低回復力のいずれかを呈する。したがって、例えば、ページ又は写真など記事に適用されるとき、本発明によると、テープフラッグは、第１の部分がその端部において記事に付着し、そこを超えて延在する部分がインデックス機能を提供し、第２の部分が記事面の選択された位置で記事に付着した状態で所定の位置にとどまる。裏材層の一方の面の接着剤は、適切な位置に接着剤を有するテープフラッグと共に、本明細書に記載のように使用するために所望の伸長を達成することができ、裏材の伸長部分の片側に付着点を提供するように、裏材層の十分な部分にわたって存在するべきである。
【００１３】
好適な接着剤が選択されている幾つかの好ましい実施形態において、裏材層は、記事に対する１つ以上の付着点から除去してから、例えば、同一ページの異なる位置など記事の別の部分を示すために使用できる、及び／又は、例えば、別の本のページなど異なる記事で使用できるように、恒久性のある弾性回復を呈する。
【００１４】
裏材層は、本質的にその全体にわたってほぼ均一の伸長特性及び弾性回復特性を呈するか、異なる特性の部分を有してよい。例えば、接着剤が伸長部としてテープフラッグのそれぞれの端部の少なくとも付近に存在するのであれば、それぞれの端部は、実質的に非伸長性であり、その間に必須の伸長部を有してよい。
【００１５】
かかる伸長伸長特性を有するテープフラッグ（伸長性テープフラッグ）は、インデックスマーカーとして対象に適用され（すなわち、本明細書において、物体の端部付近の「インデックス位置」と呼ばれ、テープフラッグは好ましくはこの端部を越えて延在する）、所望に応じて伸縮伸長させて裏材層の伸長部を引き伸ばし、テープマーカーを第２の位置において記事に付着できる（すなわち、本明細書において「位置指示部」と呼ばれ、テープフラッグは、記事のメイン部分に注目させるように位置付けられる）。したがって、本発明は、当該技術分野において既知の容易かつ効果的な記事のインデックスを提供し、ページ上に記載された一節又は写真画像の選択された、特定の位置も示すという、未知の利益を更に提供する。本発明のテープフラッグの二重機能性（すなわち、「インデックス」と「位置指示」）は、指示を書き込んで注釈をつける必要性を排除し、したがって、文書などに対する不要な損傷を回避できる。
【００１６】
幾つかの実施形態において、接着剤は、その間に裏材層の伸長部を有する非連続部分であることが望ましい。かかる実施形態において、テープフラッグは、インデックス位置及び位置指示位置の両方において、例えばページなど記事にしっかり付着するが、テープフラッグの中間部は、テープフラッグをしっかりとそこに付着させつつ、ページの他の部分を見えなくしないように、例えば、側部へと引っ張るなどの操作を行うことができる。
【００１７】
必要に応じて、裏材の一部又は全体は、十分に透明であって、それを通して読むことができ、その上に説明又は色などを有して、マーキングの精巧さを向上させ、書き込み可能にするように構成されてよい。
【００１８】
場合によっては、テープフラッグのサイズに応じて、裏材層の伸長部が一方向に少なくとも１００％伸長できることが望ましい。伸長性テープフラッグが少なくとも１００％伸長できるのであれば（伸長部が少なくとも２倍の長さになるように伸長される場合）、雑誌又はＡ４判文書などの中央部に配置された記事又は写真の参照点に到達できるべきである。当然のことながら、本発明の伸長性テープフラッグは、選択された材料を使用して選択された寸法で作製されて、所望のサイズの記事上で使用できるように構成され得る。例えば、より大きく、伸長性の高い実施形態は、大判書籍で使用するために作製されてよく、一方、より小さく、伸長性の低い実施形態は、小型のポケットサイズ本での使用に適しているであろう。
【００１９】
裏材層の伸長部については、１００％伸長させる場合の応力は、約１５ＭＰａ未満が好ましく、約１２ＭＰａ未満がより好ましい。応力が上記のようである場合、使用者は、裏材層の伸長部を手で容易に伸長できる。好適な裏材層材料の例示の実施例には、単一ポリマー又はコポリマーのポリオレフィン（polyefins）及びポリエチレンが挙げられる。これらの材料は伸長性であり、塑性変形性を有し、伸長性テープフラッグの裏材層として好適である。
【００２０】
幾つかの実施形態において、接着剤は、その間に裏材層の伸長部を有する非連続部分であることが望ましい。ガイド及びインデックスマーカーとしての機能は、対象から延出できるように、接着剤層が形成されない領域を加えることにより向上できる。接着剤層が形成されない領域の裏材層は着色を施したり、特定の形状（例えば、花又は動物の形状）の模様を与えるように形成でき、これにより利便性を向上させることに留意されたい。
【００２１】
以下において、添付の図面と共に下記の本発明の詳細な説明を検討すると、本発明のこれら及び他の利点及び特徴がよりよく理解されるようになるであろう。図を通じて参照番号は同様の部品を示すため、その説明は省略されていることに留意されたい。
【００２２】
図１Ａは、第１の実施形態による伸長性テープフラッグ１００の斜視図であり、図１Ｂは、第２の実施形態による伸長性テープフラッグ１０１の斜視図である。図１Ａに示す伸長性テープフラッグ１００は、裏材層２と、剥離及び再付着可能であり、裏材層２の一方の面の全面に形成される、接着剤層４と、を備える。図１Ｂに示す伸長性テープフラッグ１０１は、裏材層２と接着剤層４との間に、両層の接着特性を向上させるプライマー層６を備えている他は、第１の実施形態と同一である。図１Ａ及び１Ｂの両図に示す実施形態において、裏材層２の実質的にすべては、ユーザーが手で容易に伸長できるように所望の塑性変形性を備え、伸長性である。
【００２３】
上記の一例として、伸長性テープフラッグ１００及び１０１は、対象に一端を接着した後に、他端を伸長して目的の位置に接着することができるが、一端と他端との間の裏材層２のみが、使用者が手で容易に伸長でき、かつ伸長部が塑性変形性を有するように作製することもできる。
【００２４】
図２Ａは、第３の実施形態による伸長性テープフラッグ１０２の斜視図であり、図２Ｂは、第４の実施形態による伸長性テープフラッグ１０３の斜視図であり、図２Ｃは、第５の実施形態による伸長性テープフラッグ１０４の斜視図である。伸長性テープフラッグ１０２は、裏材層２及び接着剤層４の一端が矢印形状であって、位置指示位置における印象を強めるように構成され、残りの構成は第１の実施形態と同一である。伸長性テープフラッグ１０３は、裏材層２及び接着剤層４の一端が矢印形状であるように構成され、切り込みが他端に設けられ、残りの構成は第１の実施形態と同一である。加えて、伸長性テープフラッグ１０４は、第３の実施形態とは異なる矢印形状である一端を有し、残りの構成は、第１の実施形態と同一である。これらの実施形態のすべてにおいて、裏材層２の少なくとも一部が、使用者が手で容易に伸長でき、伸長部が塑性変形性を有するように作製され得る点も第１の実施形態と同様であり、プライマー層は、第２の実施形態と同じ方法で裏材層２と接着剤層４との間に設けられてよい。かかる伸長性テープフラッグの端部の設計については、無数の設計が検討可能であり、これらの設計は、決して実施形態に限定されない。伸長性テープフラッグの全体形状は、通常、長い紙状ストリップであり、例えば、幅３ｍｍ〜２０ｍｍ、好ましくは幅１０ｍｍ〜１５ｍｍ、長さ２０ｍｍ〜１５０ｍｍ、より好ましくは幅３０ｍｍ〜８０ｍｍである。しかし、各種の形態並びに長さのフィルム状形状が使用可能であり、幅及び長さは特にこれらに限定されない。
【００２５】
図３は、使用中の伸長性テープフラッグ１０２の例を示す図である。図３に示すように、例えば、伸長性テープフラッグ１０２が本に貼り付けられている場合、伸長性テープフラッグ１０２は、記事１１及び写真１２を有する本に貼り付けられ、形成された矢印を有する端部は、写真１２を指し示すように配置され、他の矩形端部は、本１０から突き出て、マーカーとして機能するように配置される。伸長され、指示対象の位置に貼り付けられた伸長性テープフラッグ１０２は、裏材の伸長部の持続的な塑性及び変形特性のために、伸長状態を維持する。
【００２６】
図４Ａ〜４Ｃは、伸長性テープフラッグ１０２の使用例を示す図である。図４に示すように、伸長性テープフラッグ１０２が伸長させられつつ、本１０に貼り付けられると（例えば、図４Ａに示すように）、まず、矩形端部が本１０から突き出て、伸長性テープフラッグ１０２が本１０の端部、すなわち、インデックス位置に付着する。次に、図４Ｂに示すように、矢印形状の端部が保持され、伸長性テープフラッグ１０２の裏材層の伸長部が手で、マーク付けされる目的点である写真１２まで伸長される。次に、図４Ｃに示すように、記事１１を見えなくしないように、必要に応じて伸長性テープフラッグ１０２の中央部が移動され、貼り付けられる。裏材層及び接着剤層を通して本１０の記事１１及び写真１２が見える場合には、必ずしも伸長性テープフラッグ１０２の中央部の位置を変える必要はないことに留意されたい。
【００２７】
図５は、伸長性テープフラッグの裏材層の一部のみが塑性変形性を備える伸長部である場合の例を示す図である。図５Ａは、裏材層端部２ａを除く部分が伸長部２ｂとなる、第６の実施形態による伸長性テープフラッグ１０５の概略平面図である。図５Ｂは、裏材層端部２ａを除く部分が伸長部２ｂとなる、第７の実施形態による伸長性テープフラッグ１０６の概略平面図である。図５Ｃは、第７の実施形態の裏材層の一端が矢印の形状である、第８の実施形態による伸長性テープフラッグ１０８の概略平面図である。裏材層の一部のみをこのように伸長部にする方法は各種あるが、例えば、伸長部及び裏材層の基部が同一材料の層で形成されることができ、一端又は両端に塑性変形性を有さない材料層を接着剤層及び接着層中に重ねることができる構成を取ることができる。裏材層の端部２ａには、インデックス及び位置指示インジケータとしての機能を向上させる着色又は模様を与え得ることに留意されたい。
【００２８】
図６は、視認特性形状を有する伸長性テープフラッグを示す。換言すれば、図６Ａは、裏材層の一端に印刷された文字を有する第９の実施形態による伸長性テープフラッグ１０８の平面図であり、図６Ｂは、裏材層の一端に花の形状が形成されている第１０の実施形態による伸長性テープフラッグ１０９の平面図であり、図６Ｃは、裏材層の一端に花の形状が形成されている第１１の実施形態による伸長性テープフラッグ１１０の平面図である。図６Ａ、６Ｂ、及び６Ｃに示す伸長性テープフラッグは、好ましくは、対象から突き出る視認性形状の一部を有し、対象に適用されるべきである。剥離可能な接着剤層は、上記の実施形態のいずれにおいても裏材の片側に形成可能であり、裏材層の一部又は全体は、塑性変形性を有して、使用者が手で容易に伸長できるようにしてよく、裏材層と接着剤層との間にプライマー層も設けられてよいことに留意されたい。
【００２９】
図７は、接着剤層が裏材層の表面全体には形成されない場合を示す。換言すれば、図７Ａは、裏材２の一端に接着剤層４が形成されない部分を有する、第１２の実施形態による伸長性テープフラッグ１１１を示す斜視図である。図７Ｂは、第１３の実施形態による伸長性テープフラッグ１１２を示す斜視図であるが、この実施形態では、接着剤層４が分割されて形成され、片側は、裏材層２の一端に形成され、もう片側は、裏材層２のもう一端の一部を残して形成される。図７Ｃは、第１４の実施形態による伸長性テープフラッグ１１３を示す斜視図である。この実施形態では、接着剤層４は分割されて形成され、接着剤層４は、裏材層２の端部に形成されない。
【００３０】
以下では、上記の実施形態の伸長性テープフラッグを構成する裏材層、伸長部、及び接着剤層について詳細に説明する。
【００３１】
典型的な実施形態において、裏材層のヤング率は、約５００ＭＰａ未満、約３４５ＭＰａ未満、及びより好ましくは約４〜約２００ＭＰａである。このようにして、伸長性テープフラッグは、フィルムが硬いために容易には屈曲しない。
【００３２】
加えて、裏材２の引張強度は１５ＭＰａ未満であることが望ましく、長さ方向の破断点は約５０〜約１２００％、好ましくは約１５０〜約７００％、更により好ましくは約３５０〜約７００％であるべきである。かかる数値を取ることにより、雑誌又はＡ４判文書などの中央部に配置された記事又は写真の参照点に到達できる。裏材層２の伸長部が加工及び取り扱いに十分な硬度を有していない場合、これは任意の厚さでよいが、約１０μｍ〜約２５０μｍの範囲の厚さが望ましい。これは、厚すぎると、外観が悪くなるか、本又は文書をかさばらせるためである。
【００３３】
裏材層２、とりわけ伸長部は、オレフィン又はオレフィン以外のエチレン不飽和モノマーを有する単一ポリマー又はコポリマーであり、とりわけ非伸長の材料が適用されてよい。非伸長材料を使用することにより、高伸長性及び高強度が容易に提供される。ポリエチレン、低密度ポリエチレン、線状低密度ポリエチレン、線状超低密度ポリエチレンを含むポリエチレン、ポリプロピレン、及びポリブチレンなどのポリオレフィン、いずれの材料も可塑化されていないものを含むポリ塩化ビニル若しくはポリ酢酸ビニルなどのビニルコポリマー、エチレン／メタ・クリ・レートコポリマー、エチレン酢酸ビニルコポリマー、アクリロニトリル−ブタジエン−スチレンコポリマー及びエチレン／プロピレンコポリマーなどのオレフィン系コポリマー、並びにアクリルポリマー及びコポリマー、又は上記の任意の組合せが特定の材料として定められる。塑性材料の混合物若しくは組合せ、又は塑性材料とエラストマー材料との混合物若しくは組合せ、例えば、ポリプロピレン／ポリエチレン、ポリウレタン／ポリオレフィン、及びポリウレタン／ポリカーボネート、ポリウレタン／ポリエステルもまた、使用されてよい。
【００３４】
裏材層２、とりわけ伸長部は、単層若しくは多層フィルム、不織布フィルム、多孔質フィルム、発泡フィルム、又は任意のこれらの組合せから作製されてよく、例えば、炭酸カルシウム含有ポリオレフィンなどフィルタを備えるフィルムから作製されてよい。裏材層２は、好ましくはポリエチレンフィルム又はポリプロピレンフィルムから選択されるべきであり、最も好ましい材料は、線状低密度ポリエチレン又は超低密度ポリエチレンフィルムである。
【００３５】
裏材層は、所望に応じて単層又は多層であって、例えば、色、透明度、書き込み可能性、剛性、柔軟性（flexability）、厚さなど性能選択基準を最適化してよい。
【００３６】
接着剤は、好ましくは記事を損傷したり、記事に残留したりしないで除去されるように選択される。
【００３７】
本明細書に用いるのに好適な実例となる接着剤は、炭素数が４〜１４である、少なくとも１種類のアルキル基を含むアルキル（メタ）アクリレートモノマーと、少なくとも１種類の極性コモノマーを含むポリマーと、を含み、微細球状接着剤に形成され得る。例えば、接着剤層４の乾燥接着剤の適用重量は、好ましくは約０．２ｇ／ｍ２〜約２１ｇ／ｍ２であるべきである。微細球状接着剤材料の場合、容易に平坦化でき、比較的均一に分散させ、伸長後に伸長部の裏面の背後にとどまり、その接着力を維持できる。
【００３８】
アルキル（メタ）アクリレートは、イソオクチルアクリレート、４−メチル−２−ペンチルアクリレート、２−メチルブチルアクリレート、イソアミルアクリレート、ｓｅｃ−ブチルアクリレート、ｎ−ブチルアクリレート、２−エチルヘキシルアクリレート、イソデシルメタクリレート（isodecyl meta acrylate）、イソノニルアクリレート、及びイソデシルアクリレートであり、アルキル基の炭素数が４〜１４であるアルキル（メタ）アクリレートモノマーとして定められる。
【００３９】
アクリル酸、Ｎ−ビニルピロリドン、Ｎ−ビニルカプロラクタム、ビニルピリジン、メタクリル酸、アクリルアミド、フマル酸、イタコン酸、クロトン酸エステル、アクリロニトリル、メタクリロニトリル（methacryl nitril）、ヒドロキシエチルアクリレート、及びヒドロキシエチルメタクリレート（hydroxyethyl meta acrylate）は極性コモノマーとして定められる。上記のモノマーに加えて、多官能基モノマーが共に使用されてよく、部分架橋物が形成され得ることに留意されたい。
【００４０】
例えば、微細球状接着剤の平均粒径は、約１μｍ〜約１００μｍに設定され得る。約５μｍ〜約８０μｍの平均粒径が好ましく、約３０μｍ〜約６０μｍがより好ましい。微細球状接着剤を使用して接着剤層４を形成すると、接着剤が単一点又は微小領域で対象と接触するようにでき、これにより、剥離性（除去性）が向上する。接着剤の組成に関しては、米国特許第３，６９１，１４０号、同第３，８５８，７３１号、同第４，１６６，１５２号、及び同第５，５７１，６１７号を参照できることに留意されたい。更に、プライマー層は、裏材層と接着剤層との間の接着特性を向上するように適切に設けられてよい。
【００４１】
接着剤層４を保護するための任意の剥離性ライナーは、本発明の伸長性テープフラッグ上で使用されてよい。当業者は、クラフト紙、ポリエチレン、ポリプロピレン、ポリエステル、又はよくある例である、任意のこれらの材料の組合せを含む好適な材料を容易に選択できる。他の実施形態において、複数の本発明の伸長性テープフラッグを積層させて、ブロックを形成してよい。必要に応じて、かかるブロックは、好適に構成されたディスペンサーと共に使用できて、１枚ずつフラッグを容易に取り外せるようにする。
【実施例】
【００４２】
伸長性テープフラッグは、以下のように製造した。Ａｉｃｅｌｌｏ  Ｃｈｅｍｉｃａｌ  Ｃｏ．，Ｌｔｄ．製インフレーション成形型で加工された、非伸長部を有する厚さ５７μｍのポリプロピレンフィルム「ＸＰ−４１０１」を伸長性裏材層及び裏材層として使用した。Ｓｕｍｉｔｏｍｏ  ３Ｍ  Ｃｏ．，Ｌｔｄ．製の「スプレーのり５５」と呼ばれる、０．３５ｇ／ｍ２の感圧性接着剤をこの裏材層の片面に塗布して接着剤層を形成し、伸長性テープフラッグを得た。
【００４３】
伸長性テープフラッグ及び裏材層（ポリプロピレンフィルムＸＰ−４１０１）の引張強度、引張最大荷重及び破断点試験は、ＪＩＳＫ７１２７（引張速度：５０ｍｍ／分）に従って測定した。試料は、ＪＩＳＫ７１２７に記載の試料１Ｂの形状に切断した（中央の幅狭部は幅１０ｍｍ、長さ６０ｍｍであり、両端は幅２０ｍｍ、全長１５０ｍｍであり、ダンベル形状であった）。接着剤層の有無に関わらず、裏材層は１５ＭＰ未満であり、表１に示すように１００％を超えて伸長した。更に、図４に示す方法による、幅１０ｍｍ、長さ１００ｍｍの伸長性テープフラッグを０．６５ｇ／ｍ２の厚さを有する、目の細かいコピー紙に貼り付けると、伸長性テープフラッグは、１００％を超える伸長性を示した。次いで、高品質コピー紙に剥離可能に貼り付けた。高品質コピー紙は、裏材層の復元力により屈曲しなかったことに留意されたい。換言すれば、裏材層の伸長部は、伸長及び貼り付け後に「塑性及び変形特性」を有していたことを確認できた。加えて、高品質コピー紙状に印刷された単語又は文字は、適用された伸長性テープフラッグの上から読むことができた。
【００４４】
【表１】
2015513484.tif 000003
【００４５】
参照番号キー
２…裏材層、２ａ…裏材層の端部、２ｂ…伸長部、４…接着剤層、６…プライマー層、１０…本、１１…記事、１２…写真、１００…第１の実施形態による伸長性テープフラッグ、１０１…第２の実施形態による伸長性テープフラッグ、１０２…第３の実施形態による伸長性テープフラッグ、１０３…第４の実施形態による伸長性テープフラッグ、１０４…第５の実施形態による伸長性テープフラッグ、１０５…第６の実施形態による伸長性テープフラッグ、１０６…第７の実施形態による伸長性テープフラッグ、１０７…第８の実施形態による伸長性テープフラッグ、１０８…第９の実施形態による伸長性テープフラッグ、１０９…第１０の実施形態による伸長性テープフラッグ、１１０…第１１の実施形態による伸長性テープフラッグ、１１１…第１２の実施形態による伸長性テープフラッグ、１１２…第１３の実施形態による伸長性テープフラッグ、１１３…第１４の実施形態による伸長性テープフラッグ
【図１Ａ】
2015513484.tif 000004
【図１Ｂ】
2015513484.tif 000005
【図２Ａ】
2015513484.tif 000006
【図２Ｂ】
2015513484.tif 000007
【図２Ｃ】
2015513484.tif 000008
【図３】
2015513484.tif 000009
【図４Ａ】
2015513484.tif 000010
【図４Ｂ】
2015513484.tif 000011
【図４Ｃ】
2015513484.tif 000012
【図５Ａ】
2015513484.tif 000013
【図５Ｂ】
2015513484.tif 000014
【図５Ｃ】
2015513484.tif 000015
【図６Ａ】
2015513484.tif 000016
【図６Ｂ】
2015513484.tif 000017
【図６Ｃ】
2015513484.tif 000018
【図７Ａ】
2015513484.tif 000019
【図７Ｂ】
2015513484.tif 000020
【図７Ｃ】
2015513484.tif 000021
【国際調査報告】
2015513484.tif 000022
2015513484.tif 000023